(57)【要約】【課題】プロテクタ同士の結合部位の強度を高め、変形を防止する。【解決手段】第１プロテクタ本体１２の結合部１７は、底壁１９ａおよび両側壁１９ｂからなる断面コ字形状の内側壁１９と、本体１２の底壁１２ａの外面および両側壁１２ｂの外面から内側壁１９の底壁１９ａおよび両側壁１９ｂの開口２２側先端に達する位置まで突設したカバー部２０とを備えて先端を開口させている一方、第２プロテクタ本体１３の結合部１８は、第１プロテクタ本体１２の内側壁１９とカバー部２０との間に形成された隙間２１に、先端の開口２２から挿入して内嵌する底壁１８ａおよび両側壁１８ｂを備え、第１、第２プロテクタ本１２、１３の結合部１７、１８は、第２プロテクタ本体１３の結合部１８を第１プロテクタ本体１２の結合部１７の内側壁１９とカバー部２０とで内外両面から挟んだ重合状態で結合している。【選択図】図２
2008228539.tif 000002
【特許請求の範囲】
【請求項１】
別体の樹脂成形品からなる樋形状とした第１プロテクタ本体と第２プロテクタ本体とを、長さ方向の一端側に形成した結合部同士を嵌合して結合しており、
前記第１プロテクタ本体の前記結合部は、底壁および両側壁からなる断面コ字形状の内側壁と、該内側壁の底壁外面および両側壁外面から前記本体の先端開口に達する位置まで突設したカバー部とを備え、該カバー部の先端を開口させていると共に、前記内側壁の底壁または両側壁の一部に貫通孔を設けている一方、
前記第２プロテクタ本体の前記結合部は、前記第１プロテクタ本体の前記内側壁と前記カバー部との間に形成された隙間に、前記先端の開口から挿入して内嵌する底壁および両側壁を備えると共に、前記底壁または両側壁より前記貫通孔に内嵌係止する突起を備え、
第１、第２プロテクタ本体の結合部は、第２プロテクタ本体の前記結合部を第１プロテクタ本体の前記結合部の前記内側壁と前記カバー部とで内外両面から挟んだ重合状態で結合していることを特徴とするワイヤハーネス用プロテクタ。
【請求項２】
前記第１、第２プロテクタ本体はそれぞれ蓋を備え、各蓋の一端側に幅方向の両側に上壁より垂下させたロック部を備え、
前記第２プロテクタ本体または第１プロテクタ本体のいずれか一方の結合部の両側壁の上側外面に２個の被ロック部が並設され、
前記第１、第２プロテクタ本体の結合部同士が結合された状態で、前記被ロック部に前記第１プロテクタの蓋と第２プロテクタの蓋に設けた前記ロック部をロック結合している請求項１に記載のワイヤハーネス用プロテクタ。
【請求項３】
前記第１プロテクタ本体の結合部に設けるカバー部は、前記内側壁の底壁の全面を覆うと共に両側壁の下側部を覆う位置に設けた断面コ字形状、あるいは前記内側壁の底壁と両側壁とに挟まれた両隅部を覆う左右一対の断面Ｌ字形状であり、
前記カバー部は先端開口と反対側の内端が前記内側壁の底壁および両側壁から突出し、該突出端を屈折して前記内側壁の底壁および両側壁と前記隙間をあけて平行として前記先端側開口へと延在させており、かつ、
前記第１プロテクタ本体側の結合部の貫通孔と第２プロテクタ本体の結合部の突起は底壁に設けている請求項１または請求項２に記載のワイヤハーネス用プロテクタ。
【請求項４】
前記第１プロテクタと第２プロテクタとは前記結合部を介して屈曲して連結されるものである請求項１乃至請求項３のいずれか１項に記載のワイヤハーネス用プロテクタ。
【発明の詳細な説明】
【技術分野】
【０００１】
本発明は、ワイヤハーネス用プロテクタに関し、特に、長手方向に分割された小部位を結合して組み立てる連結タイプのプロテクタにおいて、結合部の強度向上を図るものである。
【背景技術】
【０００２】
近年、自動車に配索するワイヤハーネスは大型化および複雑化しており、その電線量も増加の一途であるが、車両内におけるワイヤハーネスの配索スペースにも制限があるため、ワイヤハーネスは車体パネルに沿った狭いスペースに正確かつ高密度に配索することが求められていると共に、ワイヤハーネスが外部干渉材と接触しないように保護するため、樹脂成形品からなるプロテクタを設けてワイヤハーネスに外装している場合が多い。
【０００３】
前記樹脂成形品からなるプロテクタは、複雑な屈曲形状で、一度に金型成形できない場合には、分割して別体として成形し、これら分割したプロテクタ同士を連結して一つのプロテクタに組み立てている。
【０００４】
図８は、前記連結タイプのプロテクタの一例を示し、互いに樋形状のプロテクタ１Ａ、１Ｂの結合構造において、プロテクタ１Ａの底壁２上に、プロテクタ１Ｂの底壁３の先端部を挿入保持する保持底片４を設け、プロテクタ１Ａの両側壁５に、プロテクタ１Ｂの両側壁６の先端部を挿入保持する保持側片７を設け、プロテクタ１Ｂの底壁３と両側壁６をプロテクタ１Ａの底壁２と両側壁５の内面側に重合させるとともに、プロテクタ１Ｂの底壁３と両側壁６の先端部をプロテクタ１Ａの前記保持底片４と保持側片７にそれぞれ挿入保持させている。かつ、プロテクタ１Ｂの底壁３の下面より突設した係合突起８を、プロテクタ１Ａの底壁２の上面に凹設した係合凹部９に嵌合させて、プロテクタ１Ａとプロテクタ１Ｂとを結合している。（特開平１０−８４６１３号参照）
【０００５】
【特許文献１】特開平１０−８４６１３号公報
【発明の開示】
【発明が解決しようとする課題】
【０００６】
しかしながら、前記連結タイプのプロテクタは、構造上、結合部位の強度が弱く、縦方向や横方向の荷重を受けると変形しやすく、変形すると他の車両部品と干渉して互いを損傷が発生する恐れがあり、連結部の強度向上が望まれている。
【０００７】
本発明は前記問題に鑑みてなされたもので、ワイヤハーネス用プロテクタにおいて、結合部位の強度を高め、変形を防止することを課題としている。
【課題を解決するための手段】
【０００８】
前記課題を解決するために、本発明は、別体の樹脂成形品からなる樋形状とした第１プロテクタ本体と第２プロテクタ本体とを、長さ方向の一端側に形成した結合部同士を嵌合して結合しており、
前記第１プロテクタ本体の前記結合部は、底壁および両側壁からなる断面コ字形状の内側壁と、該内側壁の底壁外面および両側壁外面から前記本体の先端開口に達する位置まで突設したカバー部とを備え、該カバー部の先端を開口させていると共に、前記内側壁の底壁または両側壁の一部に貫通孔を設けている一方、
前記第２プロテクタ本体の前記結合部は、前記第１プロテクタ本体の前記内側壁と前記カバー部との間に形成された隙間に、前記先端の開口から挿入して内嵌する底壁および両側壁を備えると共に、前記底壁または両側壁より前記貫通孔に内嵌する突起を備え、
第１、第２プロテクタ本体の結合部は、第２プロテクタ本体の前記結合部を第１プロテクタ本体の前記結合部の前記内側壁と前記カバー部とで内外両面から挟んだ重合状態で結合していることを特徴とするワイヤハーネス用プロテクタを提供している。
【０００９】
前記構成のプロテクタの結合部位は、第２プロテクタ本体の結合部の内面側に第１プロテクタ本体の前記内側壁が重なるだけでなく、外面側には前記カバー部が重ね、第２プロテクタを第１プロテクタの内側壁とカバー部とで内外両面から挟んだ三重壁構造となる。特に、底壁から両側壁にかけて屈曲する両隅部は、結合部位に縦方向や横方向の荷重がかかったときに最も応力が集中する部位であるため、この両隅部が三重壁構造となることにより、従来の二重壁構造に比して、結合部位全体の縦横両方向の荷重に対する強度を効果的に高めることができ、耐変形性を飛躍的に高めることができる。
【００１０】
かつ、前記のように、第１プロテクタ本体の内側壁とカバー部との間に第２プロテクタ本体を挟みこむことにより、上下および左右方向（両側壁の方向）において第１、第２プロテクタが位置決めされると共に、第１プロテクタ本体の貫通穴に第２プロテクタ本体の突起を挿入しているため、第１プロテクタ本体から第２プロテクタ本体が離反する方向に移動することも阻止できる。即ち、第１、第２プロテクタの一方にロック穴、他方にロック爪を設けてロック結合しなくとも、第１、第２プロテクタは上下、左右及び前後方向（左右方向と直交する連結方向）の三次元方向で位置決め固定することができる。
なお、第１プロテクタ本体に貫通穴を設け、第２プロテクタ本体に貫通穴に嵌合する突起を設けているが、逆として、第１プロテクタ本体に突起を設け、第２プロテクタ本体に貫通穴を設けてもよいが、第２プロテクタ本体の結合部を第１プロテクタ本体の係合部に挿入する際に、第１プロテクタ本体側に貫通穴を設けた方が挿入しやすくなる。
【００１１】
前記第１、第２プロテクタ本体はそれぞれ蓋を備え、各蓋の一端側に幅方向の両側に上壁より垂下させたロック部を備え、
前記第２プロテクタ本体または第１プロテクタ本体のいずれか一方の結合部の両側壁の上側外面に２個の被ロック部が並設され、
前記第１、第２プロテクタ本体の結合部同士が結合された状態で、前記被ロック部に前記第１プロテクタの蓋と第２プロテクタの蓋に設けた前記ロック部をロック結合している。
なお、第１プロテクタ本体と蓋および第２プロテクタ本体と蓋とは、夫々結合部以外の箇所でロック結合している。
【００１２】
このように、第２プロテクタ本体又は第１プロテクタ本体のいずれか一方に、両方の蓋の被ロック部を設け、第１、第２プロテクタの両方の蓋のロック部とロック結合している。即ち、第１プロテクタ本体と第２プロテクタ本体とは蓋を介してロック結合しているため、より連結強度を高めることができる。
【００１３】
前記第１プロテクタ本体の結合部に設けるカバー部は、内側壁の底壁の全面を覆うと共に、両側壁の下側部を覆う位置に設けた断面コ字形状でも良いし、前記底壁と両側壁とに挟まれた両隅部を覆う左右一対の断面Ｌ字形状でもよい。
即ち、第１プロテクタの内側壁の底壁とカバー部の間と、内側壁の両側壁とカバー部との間に、第２プロテクタ本体の底壁と両側壁を挟むことができれば、カバー部の長さや大きさは限定されない。
【００１４】
また、前記カバー部は先端側開口と反対側の内端が前記本体の底壁および両側壁から突出し、該突出端を屈折して前記内側壁の底壁および両側壁と前記隙間をあけて平行として前記先端側開口へと延在させている。
該構成とすると、第１プロテクタ本体に設けるカバー部と内側壁の底壁および両側壁の挟まれた空間を一定幅に保持でき、該幅を第２プロテクタ本体の底壁および両側壁の厚さと略同一とすると、ガタつき無く嵌合でき連結部の強度を高めることができる。
【００１５】
また、前記第１プロテクタ本体側の結合部の貫通孔と第２プロテクタ本体の結合部の突起は、互いに当接する位置であれば底壁に設けても良いし、両側壁のいずれか一方に設けてもよいが、嵌合作業上から底壁に設けることが好ましい。
また、貫通穴と突起との嵌合部は１カ所で良いが、複数箇所に設けてもよい。
【００１６】
前記第１プロテクタと第２プロテクタとは前記結合部を介して屈曲して連結される場合に最も好適に用いられるが、プロテクタが大型化した場合、屈曲部にかぎらず直線部においてもプロテクタを第１、第２プロテクタに分割し、前記結合部を設けて結合してもよい。さらに、プロテクタは第１、第２プロテクタの組み合わせに限定されず、屈曲部が多い場合が大型長尺化する場合には、第３、第４…と多分割し、これら各分割端を前記結合部で結合することが好ましい。
【発明の効果】
【００１７】
上述したように、本発明によれば、分割プロテクタの結合部において、一方側の第１プロテクタの底壁及び両側壁に２重壁を設け、他方側の第２プロテクタを二重壁に間に挿入することにより、第２プロテクタ本体の内外両面を第１プロテクタの内側壁とカバー部とで挟んで三重壁構造としている。該構造とすると、特に、最も応力が集中しやすい前記両隅部の強度が、この三重壁構造によって従来の結合構造よりも格段に増大するため、結合部位の変形を効果的に防止することができる。
さらに、前記のように、底壁と両側壁とを積層して連結すると共に、第１プロテクタに設けた貫通穴に第２プロテクタの突起を嵌合するため、第１、第２プロテクタが離反方向に移動することも阻止でき、三次元方向で分割した第１、第２プロテクタを結合することができる。
【００１８】
また、第１、第２プロテクタ本体に蓋を被せ、これらの蓋に設けたロック部を一方のプロテクタ本体に設けた被ロック部にロック結合することで、第１プロテクタ本体は蓋を介して第２プロテクタ本体とも連結し、結合部位の連結をより強固とすることができる。
【発明を実施するための最良の形態】
【００１９】
以下、本発明の実施形態を図面を参照して説明する。
図１乃至図４に、本発明の第１実施形態にかかるワイヤハーネス用プロテクタ１０を示す。プロテクタ１０は、車両の車体パネルに沿って配索されるワイヤハーネス（図示せず）に外装するものであり、図１に示すように、ワイヤハーネスの配索経路に沿って屈曲形状としている。
【００２０】
前記プロテクタ１０は別体の樹脂成形品からなる第１プロテクタ１０−１と第２プロテクタ１０−２とを結合部位Ａを介して屈曲形状に連結して一体化している。
第１プロテクタ１０−１は第１プロテクタ本体１２と、その上面開口を閉鎖する第１蓋１５を備えている。第２プロテクタ１０−２は第２プロテクタ本体１３と、その上面開口を閉鎖する第２蓋１６を備えている。
【００２１】
前記第１プロテクタ本体１２と第２プロテクタ本体１３は、図２に示すように、長さ方向の一端側に結合部１７、１８を形成し、該結合部１７、１８を互いに嵌合して図１に示す結合部位Ａを形成している。
【００２２】
前記第１プロテクタ本体１２の結合部１７は、図２（Ａ）〜（Ｃ）に示すように、隙間２１をあけて互いに平行に形成された内側壁１９とカバー部２０とからなり、先端側に開口２２を設けている。
前記内側壁１９は、第１プロテクタ本体１２の底壁１２ａおよび両側壁１２ｂと面一で連続する底壁１９ａおよび両側壁１９ｂを備えた断面コ字形状よりなる。
前記カバー部２０は、前記内側壁１９の底壁１９ａの全面を覆う底壁２０ａと、該内側壁１９の両側壁１９ｂの下側部を覆う両側壁２０ｂを備えた断面コ字形状よりなる。
【００２３】
詳しくは、前記カバー部２０の底壁２０ａは、図２（Ｃ）に示すように、前記開口２２側先端と反対側の内端２０ｃを、第１プロテクタ本体１２の底壁１２ａの屈曲部の外面側から突出させ、内側壁１９の底壁１９ａと平行に隙間２１をあけて開口２２側先端まで延在している。
また、カバー部２０の両側壁２０ｂは、図２（Ｂ）に示すように、前記開口２２側先端と反対側の内端２０ｄを、本体１２の両側壁１２ｂの外面側から突出させ、その突出端を屈折して隙間２１を形成しながら開口２２側先端まで内側壁１９の両側壁１９ｂと平行に延在している。
【００２４】
前記第１プロテクタ本体１２の内側壁１９の底壁１９ａには、第２プロテクタ本体１３の後述の突起２６を内嵌する貫通孔２３を穿設している。
【００２５】
前記第２プロテクタ本体１３の結合部１８は、図２（Ａ）〜（Ｃ）に示すように、前記第１プロテクタ本体１２の結合部１７の隙間２１に挿入されて内嵌する底壁１８ａおよび両側壁１８ｂを備えた断面コ字形状よりなる。前記両側壁１８ｂは、第２プロテクタ本体１３の両側壁１３ｂと面一で連続しているが、前記底壁１８ａは、第２プロテクタ本体１３の底壁１３ａとの間に段差２５を設け、一段低く形成している。
【００２６】
前記段差２５は、第１プロテクタ１２の内側壁１９の底壁１９ａの厚みと同一寸法とし、第１、第２プロテクタ本体１２、１３の結合状態において、図３（Ｄ）に示すように、第一プロテクタ１２の底壁１２ａから第２プロテクタ本体１３の底壁１３ａにかけてが段差無く連続するようにしている。
【００２７】
前記結合部１８の底壁１８ａの上面には、前記第１プロテクタ本体１２の内側壁１９の貫通孔２３に内嵌する突起２６を突設している。
前記結合部１８の両側壁１８ｂの上側部の外面には、図３（Ａ）に示すように、前記第１蓋１５および第２蓋１６の後述のロック部３０、３２を挿入係止する２個の被ロック部２７ａ、２７ｂを並設している。
【００２８】
前記第１プロテクタ本体１２の上面開口を覆う前記第１蓋１５の上壁１５ａの長さ方向の一端側には、図３（Ａ）に示すように、幅方向両側より垂下させて、ロック部３０を下方に突設している。
また、図１に示すように、前記上壁１５ａの幅方向両側には、長さ方向に所要間隔をあけて複数のロック部３１を下方に突設している。
【００２９】
前記第２プロテクタ本体１３の上面開口を覆う第２蓋１６の上壁１６ａの長さ方向一端側には、図３（Ａ）に示すように、幅方向両側より垂下させて、ロック部３２を下方に突設している。
また、図１に示すように、上壁１６ａの幅方向両側には、長さ方向に所要間隔をあけて複数のロック部３３を下方に突設している。
【００３０】
前記第１プロテクタ本体１２の両側壁１２ｂの外面側には、図１に示すように、前記第１蓋１５のロック部３１を挿入係止する被ロック部２８を所要間隔をあけて複数個所に設けている。
同様に、第２プロテクタ本体１３の両側壁１３ｂの外面側には、前記第２蓋１６のロック部３３を挿入係止する被ロック部２９を所要間隔をあけて複数個所に設けている。
【００３１】
次に、前記構成のプロテクタ１０の組み立て手順を説明する。
まず、図２（Ａ）に示すように、第２プロテクタ本体１３の結合部１８を第１プロテクタ本体１２の結合部１７の開口２２から隙間２１に挿入する。
図３（Ａ）〜（Ｄ）に示すように、第２プロテクタ本体１３の結合部１８を第１プロテクタ本体１２の内側壁１９とカバー部２０との間に内嵌させると共に、第２プロテクタ本体１３の突起２６を第１プロテクタ本体１２の貫通孔２３に内嵌して、結合部位Ａを介して連結された本体部１１を形成する。
【００３２】
ついで、図３（Ａ）および図４（Ａ）（Ｂ）に示すように、前記本体部１１の上面に、第１蓋１５および第２蓋１６を被せてロック結合する。
このとき、第１蓋１５は、第１プロテクタ本体１２の上面に被せ、図１に示すように、ロック部３１を第１プロテクタ本体１２の被ロック部２８に挿入係止すると共に、図３（Ａ）に示すように結合部位Ａに被さるロック部３０を第２プロテクタ本体１３の被ロック部２７ａに挿入係止する。また、第２蓋１６は、第２プロテクタ本体１３の上面に被せ、図１に示すように、ロック部３３を第２プロテクタ本体１３の被ロック部２９に挿入係止すると共に、図３（Ａ）に示すように結合部位Ａに被さるロック部３２を第２プロテクタ本体１３の被ロック部２７ｂに挿入係止する。
【００３３】
前記構成のプロテクタ１０の結合部位Ａは、図３（Ａ）〜（Ｄ）に示すように、第２プロテクタ本体１３の結合部１８が第１プロテクタ本体１２の内側壁１９とカバー部２０とに挟まれて、断面コ字形状の三重壁を形成する。特に、図３（Ｃ）に示すように、荷重時に最も応力が集中しやすい両隅部Ｂ、Ｂが前記三重壁構造となっていることにより、強度が格段に向上し、プロテクタ１０の縦方向および横方向からの荷重に対する耐変形性を効果的に高めることができる。
【００３４】
また、第１蓋１５と第２蓋１６のロック部３０、３２が結合部位Ａに形成された第２プロテクタ本体１３の両側壁１８ｂの被ロック部２７ａ、２７ｂにそれぞれロック結合される。即ち、結合部位Ａは、図４（Ａ）〜（Ｃ）に示すように、第１、第２蓋１５、１６の両方を第２プロテクタ本体１３にロック結合するため、第１プロテクタ本体１２は第１蓋１５を介して第２プロテクタ本体１３と結合し、結合部位Ａの結合強度を高めることができる。
【００３５】
図５は、前記第１実施形態の変形例を示し、第１蓋１５、第２蓋１６の端部に突設したロック部３０、３２を係止する被告ロック部２７ａ、２７ｂを、第１プロテクタ本体１２の結合部１７に形成している。
【００３６】
詳しくは、図５（Ａ）（Ｂ）に示すように、第１プロテクタ本体１２のカバー部２０の両側壁２０ｂを、内側壁１９の両側壁１９ｂの全面を覆うように上端まで延在し、その上側部に、前記被告ロック部２７ａ、２７ｂを突設している。
【００３７】
図６および図７は、本発明の第２実施形態を示す。
本実施形態では、第１プロテクタ本体１２の結合部１７の内側壁１９の両隅部Ｂ、Ｂを覆う位置に、左右一対のカバー部２０、２０を形成している。
【００３８】
具体的には、図６（Ａ）（Ｂ）に示すように、第１プロテクタ本体１２の内側壁１９の底壁１９ａの両側部から両側壁１９ｂの下側部にかけて覆う位置に、隙間２１をあけて、底壁２０ａと両側壁２０ｂを備えた断面Ｌ形状のカバー部２０、２０を形成している。
【００３９】
本実施形態においては、カバー部２０、２０が第１実施形態よりも小さくなり、三重壁構造となる部分が前記第１実施形態よりも減少するが、図７に示すように、応力が集中しやすい前記両隅部Ｂ、Ｂでは、第２プロテクタ本体１３の結合部１８が第１プロテクタ本体１２の前記内側壁１９とカバー部２０、２０とに挟まれて三重壁構造となるため、材料コストを抑えながら効果的な強度向上を図ることができる。
【図面の簡単な説明】
【００４０】
【図１】本発明の第一実施形態に係るプロテクタの要部斜視図である。
【図２】結合前の第１プロテクタ本体と第２プロテクタ本体の結合部を示し、（Ａ）は斜視図、（Ｂ）は平面図、（Ｃ）は（Ｂ）のＣ−Ｃ線断面図である。
【図３】結合状態の第１プロテクタ本体と第２プロテクタ本体の結合部を示し、（Ａ）は斜視図、（Ｂ）は本体部の平面図、（Ｃ）は（Ｂ）のＣ−Ｃ線断面図、（Ｄ）は（Ｂ）のＤ−Ｄ線断面図である。
【図４】図３に示す本体部に蓋をロック結合した状態を示し、（Ａ）は斜視図、（Ｂ）は側面図、（Ｃ）は（Ｂ）のＣ−Ｃ線断面図である。
【図５】第１実施形態の変形例の要部を示し、（Ａ）は斜視図、（Ｂ）は（Ａ）のＢ−Ｂ線断面図である。
【図６】本発明の第２実施形態に係る第１プロテクタ本体と第２プロテクタ本体の結合部を示し、（Ａ）は結合前の状態を示す斜視図、（Ｂ）は結合状態を示す斜視図である。
【図７】図６（Ｂ）のＶＩＩ−ＶＩＩ線断面図である。
【図８】従来例を示す図面である。
【符号の説明】
【００４１】
１０  プロテクタ
１２  第１プロテクタ本体
１３  第２プロテクタ本体
１７  第１プロテクタ本体の結合部
１８  第２プロテクタ本体の結合部
１９  内側壁
２０  カバー部
Ａ  結合部位
Ｂ  両隅部
【図１】
2008228539.tif 000003
【図２】
2008228539.tif 000004
【図３】
2008228539.tif 000005
【図４】
2008228539.tif 000006
【図５】
2008228539.tif 000007
【図６】
2008228539.tif 000008
【図７】
2008228539.tif 000009
【図８】
2008228539.tif 000010